(57)【要約】【課題】簡易に小型化でき、適確に使用者個人にアラーム通知が可能となり、緊急事態発生時にも対応できる骨伝導式アラーム通知装置を提供する。【解決手段】骨伝導式アラーム通知装置１は、外観上で装置本体に装着用耳掛けフック２が付設されており、使用者の耳に装着用耳掛けフック２を引っ掛けて装置本体を固定できる。装置１は、内蔵する蓄電池から電源供給された制御部による出力制御により、耳を塞がない位置の骨伝導スピーカ部から骨伝導で使用者個人にアラーム通知を行う。【選択図】図１
2019201734.tif 000002
【特許請求の範囲】
【請求項１】
骨伝導式で使用者個人にアラーム通知を行う骨伝導スピーカ部と、
タイマ機能を有し、指示設定された時間に予め設定されたアラーム通知音の設定内容のパターンに従って、前記骨伝導スピーカ部の出力を制御する制御部と、
前記制御部を含む装置本体への電源供給を行う蓄電池と、を備え、
使用者の耳を塞がない位置に装着される
骨伝導式アラーム通知装置。
【請求項２】
外部端末との間で無線通信を行う無線通信部を更に備え、
前記無線通信部は、前記外部端末のアプリケーションにより前記アラーム通知音に係る音源の通知音と通知時間との設定変更内容を受信し、
前記制御部は、前記設定変更内容に従って、前記骨伝導スピーカ部の出力を制御する
請求項１に記載の骨伝導式アラーム通知装置。
【請求項３】
使用者の耳の体温を検出する温度センサを更に備え、
前記制御部は、前記温度センサからの温度検出信号に基づいて、装置本体の装着状態の判別を行い、当該判別の結果が装着外れである場合に、装着外れを示す信号を前記無線通信部へ送信し、
前記無線通信部は、前記装着外れを示す信号を受信すると、前記外部端末へ装着外れ通知を行う
請求項２に記載の骨伝導式アラーム通知装置。
【請求項４】
前記制御部は、前記蓄電池の蓄電状態の残量を確認した結果の残量信号を前記無線通信部へ送信し、
前記無線通信部は、前記残量信号を受信すると、前記外部端末へ残量通知を行う
請求項２又は３に記載の骨伝導式アラーム通知装置。
【請求項５】
請求項２〜４の何れか１項に記載の骨伝導式アラーム通知装置と、前記外部端末と、を備えた
骨伝導式アラーム通知システム。
【発明の詳細な説明】
【技術分野】
【０００１】
本発明は、使用者の耳に装着可能であり、骨伝導式で使用者へアラーム通知を行う骨伝導式アラーム通知装置及び骨伝導式アラーム通知システムに関する。
【背景技術】
【０００２】
従来、目覚まし時計に代表されるアラーム通知装置は、一般に、設定時刻になると、装置より発せられるアラーム音によって、使用者を覚醒させる機能を有している。ところが、使用者以外に、起床時間が異なる同居人が同じ部屋で寝ているような場合には、望まない時間のアラーム音により、同居人が起こされてしまうという問題がある。
【０００３】
こうした問題を対処するために、耳栓等により耳を塞ぐ手法を適用すると、防災無線等の緊急事態のアナウンス通知が聴き取れなくなってしまうという不都合が発生する。このため、係る手法は、好ましくない。
【０００４】
そこで、使用者以外に、起床時間が異なる同居人へのアラーム音を回避する技術として、使用者個人にアラーム通知を行うアラーム通知装置が開発されている。係るアラーム通知装置の周知技術として、耳栓型電子機器及びその動作方法（例えば、特許文献１参照）、個人用アラームシステム（例えば、特許文献２参照）、就寝用光源及び音源供給装置（例えば、特許文献３参照）等が挙げられる。
【先行技術文献】
【特許文献】
【０００５】
【特許文献１】特開２０１６−１３５１８０号公報
【特許文献２】特許第５９４１９７９号公報
【特許文献３】特開２０１５−２７３２９号公報
【発明の概要】
【発明が解決しようとする課題】
【０００６】
上述した特許文献１に係る技術によれば、使用者の耳を完全に塞いでしまうため、防災無線等の緊急事態のアナウンス通知を聴き取れなくなってしまう虞がある。また、特許文献２に係る技術によれば、使用者の目と直近の距離からの光照射が、眼球に対し、異常を起こす要因となる虞がある。更に、特許文献３に係る技術によれば、装置が大掛かりになり過ぎる上、寝相により所定の位置からずれてしまうと、効果が著しく低下してしまうという問題がある。
【０００７】
本発明は、このような問題点を解決すべくなされたもので、簡易に小型化でき、適確に使用者個人にアラーム通知が可能となり、緊急事態発生時にも対応できる骨伝導式アラーム通知装置及び骨伝導式アラーム通知システムを提供することを目的としている。
【課題を解決するための手段】
【０００８】
上記目的を達成するため、本発明の骨伝導式アラーム通知装置は、骨伝導式で使用者個人にアラーム通知を行う骨伝導スピーカ部と、タイマ機能を有し、指示設定された時間に予め設定されたアラーム通知音の設定内容のパターンに従って、骨伝導スピーカ部の出力を制御する制御部と、制御部を含む装置本体への電源供給を行う蓄電池と、を備え、使用者の耳を塞がない位置に装着される。
【発明の効果】
【０００９】
本発明によれば、上記構成により、簡易に小型化でき、適確に使用者個人にアラーム通知が可能となり、緊急事態発生時にも対応できるようになる。
【図面の簡単な説明】
【００１０】
【図１】本発明の実施の形態１に係る骨伝導式アラーム通知装置を使用者が装着する様子を例示した簡易外観図である。
【図２】図１に示す骨伝導式アラーム通知装置と無線通信相手の外部端末とによる骨伝導式アラーム通知システムの概略構成図である。
【発明を実施するための形態】
【００１１】
以下、本発明の骨伝導式アラーム通知装置及び骨伝導式アラーム通知システムに係る実施の形態について、図面を参照して詳細に説明する。
【００１２】
実施の形態１．
図１は、本発明の実施の形態１に係る骨伝導式アラーム通知装置１を使用者が装着する様子を例示した簡易外観図である。
【００１３】
図１を参照すれば、使用者個人にアラーム通知を行う骨伝導式アラーム通知装置１は、外観上で装置本体に装着用耳掛けフック２が付設されており、使用者の耳に装着用耳掛けフック２を引っ掛けて装置本体を固定できる仕組みになっている。
【００１４】
図２は、骨伝導式アラーム通知装置１と無線通信相手の外部端末１２とによる骨伝導式アラーム通知システムの概略構成図である。因みに、図２中において、骨伝導式アラーム通知装置１については、機能ブロックを示している。また、外部端末１２については、アプリケーションによる送受信の機能の概要を示している。
【００１５】
図２を参照すれば、骨伝導式アラーム通知システムは、使用者の耳を塞がない位置に装着される骨伝導式アラーム通知装置１と外部端末１２とにより構成される。骨伝導式アラーム通知装置１は、無線通信部３、蓄電池としての小型バッテリ１０、温度センサ７、骨伝導スピーカ部６、及びこれらを制御する制御部１００により構成される。
【００１６】
このうち、小型バッテリ１０は、制御部１００を含む装置本体への電源供給を行う。制御部１００は、タイマ機能を有し、指示設定された時間に予め設定されたアラーム通知音の設定内容のパターンに従って、骨伝導スピーカ部６の出力を制御する。この結果、骨伝導スピーカ部６は、骨伝導式で使用者個人にアラーム通知を行う。因みに、制御部１００のアプリケーションにより、タイマ機能を働かせ、指示設定した時間にアラーム通知を行う目覚まし装置としての利用設定は、汎用的な周知技術を適用すれば、容易に構築できる。例えば、骨伝導式アラーム通知装置１の装置本体に付設される表示部において、現時刻を表示させ、それを参照し、タッチパネル式で使用者がアラーム通知時刻を設定する機能構成を適用する場合を例示できる。尚、アラーム通知音の設定内容のパターンとは、アラーム通知音を連続的に鳴らし続ける場合、或る周期で断続的に鳴らし続ける場合、音量を変化させて鳴らす場合等のバリエーションを示す。また、アラーム通知音の設定内容のパターンは、変更可能なものである。
【００１７】
こうした骨伝導式アラーム通知装置１の機能構成によれば、簡易に小型化でき、適確に使用者個人にアラーム通知が可能となり、緊急事態発生時にも対応できるようになる。また、骨伝導スピーカ部６により、骨伝導式で使用者個人にアラーム通知を行うため、伝音性難聴の聴覚障害者に対しても、有効にアラーム通知を行うことができる。更に、装置全体を耳を塞がない小型の構成にできるため、目覚まし装置としての利用以外に、日常生活におけるアラート機能として、利用することもできる。
【００１８】
実施の形態１に係る骨伝導式アラーム通知装置１は、上記以外の特徴として、外部機器からアラーム通知音の設定内容のパターンを変更設定できるようになっている。こうした機能を具現するために、骨伝導式アラーム通知装置１に搭載された無線通信部３は、外部端末１２との間でＢｌｕｅｔｏｏｔｈ（登録商標）等による近距離の無線通信を行う。この無線通信によって、外部端末１２からの各種設定情報を受信して装置本体内での情報処理に活用する他、装置本体内で情報処理して得られた各種通知を外部端末１２へ送信することが可能になっている。
【００１９】
即ち、無線通信部３は、外部端末１２のアプリケーションにより、アラーム通知音に係る音源の通知音と通知時間との設定変更内容を受信することができる。制御部１００は、設定変更内容のパターンに従って、骨伝導スピーカ部６への出力を制御する。こうした機能構成により、例えば、スマートフォン等の外部端末１２のアプリケーションによって、自由にアラーム通知音に係る設定を行うことができる。因みに、ここでのアラーム通知音に係る設定変更内容のパターンについても、アラーム通知音を連続的に鳴らし続ける場合、或る周期で断続的に鳴らし続ける場合、音量を変化させて鳴らす場合等のバリエーションを示す。尚、制御部１００の細部の構成及び機能は、後文で詳述する。
【００２０】
装置本体に具備された温度センサ７は、使用者の体の耳近くで接触する位置に設けられ、接触部分の体温を検出する。温度センサ７で検出した温度検出信号は、制御部１００での装着状態の判定に用いられる。制御部１００は、温度センサ７からの温度検出信号に基づいて、装着状態の判別を行い、判別の結果が装着外れである場合に、装着外れを示す信号を無線通信部３へ送信する。無線通信部３は、装着外れを示す信号を受信すると、外部端末１２へ装着外れ通知を行う。この結果、外部端末１２から骨伝導式アラーム通知装置１の使用者へ装着外れの注意を促すことが可能になる。こうした場合、例えば、外部端末１２から目覚まし用とは、異なるトーンの音源の通知音の設定に係る情報を、装着外れの注意用として、送信すれば良い。
【００２１】
その他、装置本体には、各部へ電源供給を行う小型バッテリ１０が具備されている。そこで、制御部１００は、小型バッテリ１０の蓄電状態の残量を確認した結果の残量信号を無線通信部３へ送信する。無線通信部３は、残量信号を受信すると、外部端末１２へバッテリ残量通知を行う。この結果、外部端末１２から骨伝導式アラーム通知装置１の使用者へ充電を促すことが可能になる。こうした場合、例えば、外部端末１２から目覚まし用及び装着外れの注意用とは、更に、異なるトーンの音源の通知音の設定に係る情報を、充電の注意用として、送信すれば良い。
【００２２】
以下は、制御部１００の細部の構成及び機能について、説明する。制御部１００は、記憶部４、出力制御部５、無線信号制御部１１、センサ信号処理部８、及びバッテリ制御部９を備えて構成される。記憶部４は、外部端末１２から送信される各種設定情報として、アラーム通知音設定・アラーム通知時間設定の設定変更内容の情報について、無線通信部３を経由して受信した無線信号制御部１１の書き込み制御により、記憶して保持する。因みに、記憶部４は、電源供給が無い状態でも、設定内容、設定変更内容の情報を保持できる不揮発性であり、情報の読み書きが可能なメモリ種である。
【００２３】
出力制御部５は、記憶部４からアラーム通知音の設定内容、設定変更内容の情報を読み出し、それらの情報に基づいて骨伝導スピーカ部６への出力を制御する。骨伝導スピーカ部６は、骨伝導式でアラーム通知音を使用者へ伝える拡声器（スピーカ）として働く。骨伝導スピーカ部６によって、使用者個人にアラーム通知を伝達することができる。
【００２４】
温度センサ７は、使用者の耳近くの体と接触する部分に設置され、接触部分の体温を検出する。温度センサ７で検出した温度検出信号は、センサ信号処理部８による装着状態の判定に用いられる。センサ信号処理部８では、温度センサ７からの温度検出信号を処理し、装置本体が使用者の体に装着されているか否かを判定する。この判定に用いる閾値は、人体の体温以下に設定する。判定の結果、装着外れが検出された場合、センサ信号処理部８は、無線信号制御部１１に装着外れを示す信号を送信する。これにより、無線信号制御部１１から無線通信部３を経由し、外部端末１２へ装着外れ通知を行うことができる。
【００２５】
バッテリ制御部９は、装置本体に蓄電池として内蔵される小型バッテリ１０の蓄電状態の残量を確認する。このバッテリ制御部９は、予め設定された周期で定期的に自動的に動作するか、或いは、使用者による表示部でのタッチパネル式の操作指示等のバッテリ残量確認信号を確認した際、小型バッテリ１０の蓄電状態の残量を検出する。勿論、外部端末１２からのバッテリ残量確認要求があった場合にも、同様に、小型バッテリ１０の蓄電状態の残量を検出する。検出結果は、無線信号制御部１１に送られ、無線通信部３を経由して外部端末１２へバッテリ残量通知を行うことができる。
【００２６】
また、小型バッテリ１０の検出結果として、蓄電の残量であるバッテリ残量が一定値を下回ったとき、バッテリ制御部９は、無線信号制御部１１及び無線通信部３を経由して外部端末１２に対し、バッテリ切れのアラーム通知を自動送信することもできる。小型バッテリ１０は、制御部１００を含め、装置本体の各部への電源供給源である。このため、小型バッテリ１０は、放電による電源供給に伴う蓄電量の減少を補充するための充電部を備え、外部電源から充電端子を介して充電部へ充電することができる。
【００２７】
無線信号制御部１１は、センサ信号処理部８からの信号の受信処理、バッテリ制御部９との間における信号の送受信、無線通信部３との間における各種信号の変換及び伝達、記憶部４との間における情報の書き込み、読み出しを行う。記憶部４が保持するアラーム通知音の設定内容に係る情報は、装置本体に予め設定しておくものとする。この後、無線通信部３を経由して外部端末１２からアラーム通知音設定・アラーム通知時間設定を行わせ、アラーム通知音の設定変更内容に係る情報を活用すれば、より利便性が高められる。即ち、アラーム通知音の設定内容に係る情報は、初期的に装置本体に予め設定しておき、その後に、設定変更内容に係る情報を無線通信部３及び無線信号制御部１１経由で外部端末１２から送信し、設定変更可能にする。
【００２８】
外部端末１２は、骨伝導式アラーム通知装置１の無線通信部３との間で無線通信を行うことができ、専用のアプリケーションを導入することにより、汎用的なスマートフォン等を適用する場合を例示できる。この場合、スマートフォンから骨伝導式アラーム通知装置１の動作を制御することができる。即ち、外部端末１２は、骨伝導式アラーム通知装置１へ向けて、例えば、アラーム通知音設定・アラーム通知時間設定の設定変更内容に係る情報を送信することができる。また、外部端末１２は、骨伝導式アラーム通知装置１から、例えば、装着外れ通知・バッテリ残量通知を受信することができる。
【００２９】
装着外れ通知・バッテリ残量通知を受信した外部端末１２は、骨伝導式アラーム通知装置１の使用者へ向けて、目覚まし用のアラーム通知音の設定に係る情報とは、異なるトーンの音源の通知音の設定に係る情報を送信するようにすれば良い。こうした場合、上述した通り、骨伝導式アラーム通知装置１の使用者に装置本体の装着のし直しを促すこと、或いは、小型バッテリ１０の充電を促すことが可能になる。
【符号の説明】
【００３０】
１  骨伝導式アラーム通知装置、２  装置用耳掛けフック、３  無線通信部、４  記憶部、５  出力制御部、６  骨伝導スピーカ部、７  温度センサ、８  センサ信号処理部、９  バッテリ制御部、１０  小型バッテリ、１１  無線信号制御部、１２  外部端末、１００  制御部。
【図１】
2019201734.tif 000003
【図２】
2019201734.tif 000004